(57)【特許請求の範囲】
【請求項１】
打撃プレートの周囲から後方に延びるエッジを持ち、前記エッジに複数の孔が形成されている金属打撃インサートと、プリプレグ材料のプライからなり、前面壁に開口部を持つ中空クラブヘッドボディを有するゴルフクラブヘッドであって、
前記中空クラブヘッドボディは前記開口部に第１及び第２のエッジを有し、
前記金属打撃インサートは、前記金属打撃インサートのエッジが前記中空クラブヘッドの前記第１及び第２のエッジとサンドイッチ構造を形成し、且つ前記金属打撃インサートのエッジに形成された複数の孔にプリプレグ材料が充填されるようにして結合されて、前記前面壁の開口部を覆うように取り付けられ、
ゴルフクラブヘッドは３００立方センチメートルから６００立方センチメートルの範囲の体積を有するゴルフクラブヘッド。
【請求項２】
金属打撃インサートはチタン及びステンレススチールからなるグループより選択される材料からなる請求項１に記載されるゴルフクラブヘッド。
【請求項３】
前記プリプレグ材料はカーボンファイバーから成る請求項１に記載されたゴルフクラブヘッド。
【発明の詳細な説明】
【０００１】
【発明の属する技術分野】
本発明は中空ゴルフクラブヘッドに関する。
【０００２】
【従来技術】
中空ゴルフクラブヘッドに関する最近の改良技術には、技術開発に二つの分野が注目されている。一つはヘッドのサイズである。ヘッドは、重量がキャビティの外側に位置するキャビティを持つような大型になってきている。このヘッドの幾何学形状によると、周辺に重量が位置するにつれて慣性モーメントは増加する。ゴルファーにとって、スイートスポットを外れたショットは一般にターゲットにたいしてスライスやフックのボールの軌道を描く。したがって、スイートスポットを外れたショットは大きいクラブヘッドに対してはより正確さが要求される。スイートスポットは当業界においてはよく知られている。
【０００３】
第２の分野は、チタン又はスチールの金属打撃面における改良に関する。金属面は打撃する金属からボールに対するより効率的なエネルギーの伝達のために良好に調整されてきた。ボールをより遠くに飛ばすために、効率的エネルギーの伝達は要請される。スイートスポットを厚くすること、したがって、フェースの周囲を薄くする設計は多くのクラブ製造業者により受入れられてきた。中央部の厚いプレートは強いヒットを与え、一方、外側の薄い領域は変形と回復により、いわゆる「スプリングアクション」とよばれ、高い反発係数（Ｃ．Ｏ．Ｒ．）を生むと一般に受入れられている。Ｃ．Ｏ．Ｒ．は入射に対する出射の速度の割合である。ゴルフボールがフェースに向けて発射され、ボールが跳ね返る。米国ゴルフ協会（ＵＳＧＡ）は、ゴルフ規則の付則ll、規則４−１ｅの規定に従うテスト条件によりＣ．Ｏ．Ｒ．を規定している。金属フェースを持つ金属中空クラブヘッドの技術は最高の飛距離を得るためのクラブフェース設計と技術と共に確立した技術である。ここ１０年に亘り、ピン、ナイキ、テーラーメードなどのような多くのクラブメーカーにより発表され宣伝されてきた。長い飛距離を達成するため、メーカーは、ＵＳＧＡの要件に合致させるように、０．８３の限度内でより高いＣ．Ｏ．Ｒ．（反発係数）を求めてきた。ＣＯＲを測定するための標準のＵＳＧＡの条件は、１９９８年６月6日の改訂０及び１９９８年8月４日の改訂１により改訂された付則ll、規則４−１ｅの規定に従うクラブヘッドの速度比を測定するＵＳＧＡ手順に規定されている。
【０００４】
ある者はこの問題と可能性のある解決手段について認識している。
【０００５】
大体積の複合材料クラブヘッドの例としては、Kodamaのゴルフクラブヘッドに関する米国特許第６，３５４，９６３号がある。Kodamaはカーボンファイバーを含むファイバー強化エポキシ樹脂から作られるゴルフクラブヘッドを開示している。これは、通常のクラブヘッドよりもより長い飛距離と大きいスイートスポットを与え、フライト方向の安定を与えている。
【０００６】
複合材料ゴルフクラブヘッドの他の例としては、複合材料ゴルフクラブヘッドとその製造方法に関するMurphyの米国特許第６，２４８，０２５号がある。打撃プレートを持つゴルフクラブヘッドは複合材料からなる。ゴルフクラブヘッドボディはまた複合材料からなり、ボディのリボン内にウエイトストリップが配置される。
【０００７】
更に複合材料のクラブヘッドの例として、高い慣性モーメントを持つ複合材料ゴルフクラブヘッドに関するHelmstetterの米国特許出願２００２０００６８３６号がある。Helmstetterは高い慣性モーメントを持ち、リボンセクションにウエイトストリップを持つ複合材料のクラブヘッドを開示している。
【０００８】
上記の先行技術は、打撃面を含むカーボンファイバー材料を持つ複合材料のクラブヘッドを含んでいる。複合材料フェースプレートは金属のものより比較的厚い。Kodama他の米国特許第６，３５４，９６３号は最小で４ｍｍの厚さを持つフェースを開示し、Murphyの米国特許第６，２４８，０２５号は０．１１０インチ（２．８ｍｍ）から０．１５５インチ（３．９ｍｍ）の範囲の厚さを持つ打撃プレートを開示している。厚いプレートはカーボンファイバー材料と共に使用されるが、これは、複合材料が比較的に低い耐衝撃性を持ち、従って、薄い複合材料のプレートは実用上強度がない。しかしながら、厚い複合材料は硬くなり、大きい厚さの寸法を持つクラブフェースプレートは変形しない。一方、厚いスイートスポットと薄い周辺部を持つ金属フェースを持つクラブヘッドは変形（回復）して高いＣ．Ｏ．Ｒ．を持つ。
【０００９】
金属打撃面の例としては、複合材料ゴルフヘッドに関するLoの米国特許第５，３２８，１７６号がある。Loは頂部の第１の部分に固定される上部延長部を持つ金属強化プレートの前側フェースを持つ複合材料ゴルフヘッドを開示している。この金属強化プレートは底面と後面を包み頂部の第２の部分に延びる底部延長部を有している。
【００１０】
他の金属打撃面の例としては、ゴルフクラブヘッドとその製造方法に関するChengの米国特許出願第２００１００４９３１０号がある。Chengは金属のベースと、フェースと管状ネックとカーボンファイバーのカバーを持つゴルフクラブヘッドを開示している。
【００１１】
更に、他の例としては、複数材料のゴルフクラブヘッドに関するCackettの米国特許出願第２００１００５５９９５号がある。Cackettはフェース要素とアフトボディを持つクラブヘッドを持つゴルフクラブヘッドを開示している。金属材料からなるフェース要素は、打撃部と返り部を持つ。アフトボディはクラウン部、ソール部及び選択的にリボンセクションからなる。アフトボディは複合材料や熱可塑性材料のような非金属材料からなる。
【００１２】
上述の先行技術は米国特許５，３２８，１７６の頂部及び底部に延びる金属フェースを持つ複合材料クラブヘッド、米国特許出願第２０００１００４９３１０号の金属ベースに延びる金属フェース、また、米国特許出願第２００１０５５９９５号の返り部を持つ金属フェース要素を開示している。
【００１３】
【発明が解決しようとする課題】
本発明は、金属製打撃プレートがクラブヘッドボディの前面フェースにモールドされた複合材料からなる大型のゴルフクラブヘッドを提供するものである。本発明の一つの目的は、ゴルフクラブを製造するために比較的少量の金属部分と比較的多量の複合材料を使用することにより達成される。金属材料に対する複合材料の割合は高い。
【００１４】
【課題を解決するための手段】
本発明の一つの態様は、複合材料ヘッドボディへの金属打撃プレートの取付けはサンドイッチ構造の複合材料を使用することにより強固に且つ耐久性を高くすることができる。更に、ゴルフクラブヘッドの外表面に向けて外側で且つ横方向に延びる金属打撃プレートのエッジの包み込みは複合材料層によるサンドイッチ構造を形成する。この態様は、本発明は、ボールがサンドイッチ構造及び複合材料ボディの他の部分に向けて打撃されるとき、金属インサートにかかる衝撃を減衰させることを可能とする。
【００１５】
本発明の他の態様は、大体積の複合材料のゴルフクラブヘッドは、クラブフェースの壁のサイズに対して金属打撃インサートのサイズを制限することにより可能となる。クラブヘッドの残りの部分は、より軽量の複合材料により形成される。複合材料の重量体長さである比較長さ、単位重量当たりの強度である比較強度は一般に金属よりも高い。したがって、複合材料により同等の機械的特性を持つ大体積クラブヘッドを製造することができる。
【００１６】
本発明により得られる大体積クラブヘッドは高い慣性モーメントを提供する。慣性モーメントは重量が中空クラブヘッドの外側表面に位置するとき増加する。より外側に、より重い重量のとき、慣性モーメントは高くなる。
【００１７】
本発明の他の態様は、金属打撃インサートに加わる衝撃を効率的に減少するゴルフクラブヘッドである。打撃インサートから外側且つ横方向に延びるエッジを持ち、金属打撃インサートから真後ろに位置する複合材料サンドイッチ構造は衝撃を良好に低減する。更に、多量のカーボンファイバーによるエッジの包み込みはユニークで効果的にショックを低減する。ゴルフクラブのスイートスポットをしばしば外すアベレージゴルファーにとっては、ショックは不愉快なものであり、ゴルファーの肘を痛める。
【００１８】
更なる本発明の他の態様は、金属打撃インサートを持ち、また打撃インサートから外側に且つ横方向に伸び、また、複合材料とサンドイッチ構造を形成するエッジについていくつかの変形を有するゴルフクラブヘッドである。金属エッジは選択的に溝及び／又は孔を持つ。これらの溝又は孔は成型後は複合材料で充填され、また、エッジと複合材料ボディとの結合はより強固なものとなる。
【００１９】
一つの好ましい実施例においては、本発明は、金属打撃インサート及びカーボンファイバー複合材料からなる中空クラブヘッドボディを含み、この中空クラブヘッドボディは金属打撃インサートをモールド成形するための前面フェース壁を含み、この前面壁はその周囲に沿って形成され、前面壁の周囲内に形成された開口部を持っており、また、金属打撃インサートは前面壁の少なくとも周囲の部分にモールド成形される。
【００２０】
【発明の実施の形態】
本発明の他の目的、特徴及び利点は、以下の図面を参照にした詳細な説明により明らかになるであろう。
【００２１】
図面の簡単な説明
本明細書に組み入れられ、本明細書の一部となる添付された図面は本発明の実施例を示し、ここでは同様の符号は同様の要素を示し、以下の詳細な説明と共に本発明の基本を説明する機能を有している。
図１は本発明のゴルフクラブヘッドの正面図である。
図２は、図１のゴルフクラブヘッドの側面図である。
図２Ａは、図２の斜視図である。
図３は、最大サイズのインサートを持つゴルフクラブヘッドの側面図である。
図４は、インサートのエッジとともにサンドイッチ構造（Ａ）を示すゴルフクラブヘッドの側面図である。
図５は、図４の区域Ａの部分拡大図である。
図６は、図５に示される金属エッジの変形例で開口及び／又は孔を示している。
図７は、図６のゴルフクラブヘッドの平面図である。
図７Ａは、図６に示される構造を持つ本発明のゴルフクラブヘッドの斜視図を示す図である。
図７Ｂは、図７の斜視図である。
図８は、ソールカバーを示すゴルフクラブヘッドの側面図である。
図９は、ゴルフシャフトを取り付けるための開口を示すゴルフクラブヘッドの側面図である。
【００２２】
本発明の詳細な説明
本発明の好ましい実施例に対して詳細に参照が示され、その例が図面をもとに示されている。本発明は好ましい実施例に関連して説明されるが、それらは本発明を実施例に限定する目的で示されるものではないことは理解されるであろう。それとは別に、本発明は、添付されるクレームにより特定される本発明の精神と範囲内に含まれる変形例や改良及び均等物をカバーすることを意図するものである。
【００２３】
本発明は、前面フェース壁内にモールド成形される金属打撃インサートと、カーボンファイバー複合材料のような軽量の材料により形成されるヘッドボディの残りに部分を持つドライバーやフェアウェイウッドのような中空ゴルフクラブヘッドに関する。
【００２４】
特に、金属打撃インサートは、カーボンファイバー複合材料ボディにカーボンファイバーサンドイッチ構造の形状として強固に取り付けられる外側で横方向の金属インサートと共にフェース壁の内側に配置される。打撃プレートは直接に複合材料サンドイッチ構造により後ろ側で支持され、このサンドイッチ構造は複合材料ボディの全体のコーナーを形成して打撃衝撃を消してより強固な耐久性のあるクラブヘッドにしている。打撃プレートの背面の複合材料サンドイッチ構造は、また、金属打撃インサートとボールとの衝撃から生ずるショックの振動を効果的に減衰させる。更に、クラブヘッドの製造における少量の金属部分の使用、従ってより多くの複合材料の使用はより大きなクラブヘッドとして高い慣性モーメントを与えることを可能とする。
【００２５】
本発明は、フェース壁内に位置する金属打撃プレートと、前面コーナーが金属インサートの横方向に延びる外側エッジと共にサンドイッチ構造を形成する複合材料ボディとの強固な結合により作られるクラブヘッドを提供する。強固で耐久性のあるクラブとするため、ボールの打撃中に生じる衝撃が効果的に消滅する必要がある。カーボンファイバーサンドイッチ構造自体及び複合材料クラブヘッドの残りの部分に連結される構造は衝撃を良好に低減する。
【００２６】
本発明はフェース壁内に配置される金属打撃プレートを持つクラブヘッドを提供し、インサートプレートは強固な支持構造となるカーボンファイバーサンドイッチ構造により後部で支えられる。打撃面の直後に位置するサンドイッチ構造は、衝撃エネルギーを効果的に消滅させ、金属プレートのボールの打撃から生じるショックと振動を低減する。
【００２７】
図面を参照すると、図１は金属打撃インサート１が前面フェース壁２の内部に配置され、クラブヘッドボディ３０のインサートを除く他の部分はカーボンファイバー複合材料により造られる。インサート１はフェース壁２と略同じ形状をなすが若干小さい。インサートの位置は図１に従い種々の距離とされ、３及び４については０から５ｍｍ、５及び６については０から２０ｍｍ、より好ましくは３及び４については０から３ｍｍ、５及び６については０から１０ｍｍである。クラブヘッド３０は代表的には３００〜６００ｃｃのサイズを持つ。
【００２８】
図２に示されるように、金属打撃インサート１はクラブヘッドの外側面の曲面に向けて外側及び横方向に延びる外側結合エッジ９を持つ。金属インサート１は鋳造、鍛造、熱等方静圧プレス、機械加工等により造ることができる。より好ましくは金属インサート１はチタン又はステンレススチールの鋳造又は鍛造金属である。インサート１は本発明の精神と範囲を離れない範囲で金属マトリックス複合体やセラミック材料とすることができる。インサート１は複合材料ボディ３０にモールド工程中に取り付けられ、したがって、金属でも非金属でもインサートとして使用できる。
【００２９】
カーボンファイバープリプレグの多数層が使用される。図５において、５つのプライプリプレグが一つの層として描かれている。ヘクセルコーポレーション、東レコーポレーション等の製造業者から商業的に入手できるプリ含浸カーボンファイバー樹脂のプリプレグが型の内部キャビティ上に配置される。カーボンファイバープリプレグは全てが一方向に配向された、ユニ方向プリプレグとして入手でき、また、カーボンファイバーはバイ方向プリプレグとして織ることができる。正確な量の樹脂が製造業者によって含浸されるが、樹脂の量（ＲＣ）は全プリプレグの重量に対して３０〜３７％である。好ましい実施例においては３１％〜３４％のＲＣが採用される。樹脂はマトリックスはエポキシ、ポリエステル、ポリイミド等が使用できる。好ましい実施例ではエポキシ樹脂が使用される。より好ましくは樹脂はヘクセルコーポレーション、東レコーポレーションから入手できる強化エポキシ樹脂である。この強化システムは高い耐衝撃性を有する。プリプレグ中のカーボンファイバーの量も同様に変化する。主として１００〜１５０グラム−材料（単位平方メータ当たりの重量）が好ましい実施例では使用される。異なる強度及び係数特性を有する異なるカーボンファイバーが存在する。使用されるカーボンファイバーはＰＮＡ（polyacrylonitrile）先駆体から造ることができ、代表的には６００ｋｓｉ（４，０００Ｍｐａ）〜９００ｋｓｉ（６，０００Ｍｐａ）の引っ張り強度と４０ｍｓｉ（２７６Ｍｐａ）〜６０ｍｓｉ（４００Ｍｐａ）の引っ張り係数を持つ。
【００３０】
図２及び図４に示されるように、いくつかのプリプレグが金属エッジ７の上部に置かれ、いくつかが下側８に配置されて金属エッジが中央になるサンドイッチ構造（Ａ）を形成する。上部の層７は型のキャビティの表面に置かれる。金属又は複合材料で造られるクラムシェル型が使用される。
【００３１】
図２Ａは図２の斜視図である。図２Ａより、インサート１のエッジ９が中空ゴルフクラブボディ３０のエッジ７，８内にモールドされ、本発明によるサンドイッチ構造（Ａ）が形成される様子が理解される。
【００３２】
図３は金属インサート１が大きくフェース壁２を覆う場合の状態を示している。図４に示されるサンドイッチ層（Ａ）の破壊図が図５に示される。ここで、単一方向のプリプレグの５個のプライからなる各層が示されている。クラブヘッドボディ３０の表面のような領域はバイ方向（織物）プリプレグが使用される。サンドイッチ構造（Ａ）は約６ｍｍの厚さと約２０ｍの延長部を持つ。
【００３３】
図５に示されるサンドイッチ構造を形成する金属エッジ９は図７、図７a、図７bに示されるように、溝、開口又は孔１１を有するように変形することができる。この変形は金属１と複合材料３０の結合をより強くする。プリプレグ片が図７に示されるように挿入され、プリプレグの他の部分と結合されて一体化された複合材料ボディ３０を形成する。いくつかのホール１１は充填されないままとなっている。最初は充填されない状態となった孔１１は、圧搾空気がプリプレグを型の表面に対して押し付け、プリプレグが加熱されコンパクト化さああれる後の硬化工程のステージの間に充填される。金属インサート１の複合材料ボディ３０に対する強固な取付けはクラブヘッドボディ３０からインサート１が脱落するのを防止する。
【００３４】
金属インサート１と複合材料ボディ３０の強固な取付けはサンドイッチ構造により達成される。インサート９のエッジ７，８の全体の金属表面は結合される一方、サンドイッチ構造を形成するカーボンプリプレグの質量のある層は層状とされて強固な複合材料の副構造を与える。これにより、金属インサート１によりボールを打撃するときの衝撃はなくなり、金属インサートによるボールの打撃からのショックが効果的に緩和される。複合材料はショックアブソーバとなることが実証される。
【００３５】
全てのプリプレグ層が配置された後、ナイロン又はラテックスゴムからなる袋が型内のプリプレグの上に配置され、型のキャビティから圧搾空気源に対して図４に示されるように型の開口１２を通して排出される。５個の単一配向プリプレグのプライうちの約２つの層がより多くのプリプレグ層が使用されるサンドイッチ領域を除いてクラブヘッドの結合エッジの周りに使用される。プリプレグは約２５０°Ｆの温度で９０分、袋に加圧空気を導入した状態で加熱されて硬化される。代表的には１００ｐｓｉの加圧空気が使用される。ここで説明される硬化条件はプリプレグの中の樹脂により変わる。プリプレグの仕様により温度を下げ、加熱時間を短くすることができる。
【００３６】
時には、クラブヘッドの底部を保護することが望ましく、これはこの領域は物理的な弊害を伴うからである。テフロン（登録商標）又はナイロンのようなプラスチック材料からなる保護用の外側カバー３２又はアルミニウムのような金属プレートを取り付けることができる。カバー３２は図８に示すように、螺子１３を使用して機械的に取り付けることができる。また、ゴルファーがソールを替えて重くしたり軽くしたりできるように、取り外し可能で交換可能なカバーとすることも望ましい。
【００３７】
図７Ａは図６に示される構造を持つ本発明のゴルフクラブヘッドの斜視図であり、図７Ｂは図７の斜視図である。サンドイッチ構造の態様の効果は図７Ａ、７Ｂに示されるように理解できるであろう。
【００３８】
本発明による大型のクラブヘッドにより、高い慣性モーメントが達成される。慣性モーメントはキャビティのサイズが大きくなるに従い、また、重量が周辺に位置するに従い増加する。軽量の材料で造られるクラブヘッドの全重量は本発明では低いため、余分のウエイトを周辺に配置して慣性モーメントを更に増加させることができる。金属のウエイト要素はクラブヘッドの周囲のプリプレグ層の間に包み込むことができる。より重いウエイト要素は時には「バックウエイト」又は「周辺ウエイト」と呼ばれ、当業界においては良く知られている。ウエイト要素は金属の球或いは粉末である。金属はタングステン、鉛、真鍮、スチール等である。金属ウエイト要素とプリプレグとの結合を良くするため、金属ウエイト要素はエポキシ樹脂で被覆され、使用される前に表面を湿潤する。それに代えてエポキシ樹脂の成分が高いプリプレグを使用することもできる。
【００３９】
クラブヘッドはゴルフシャフトを連結するための開口を収容する必要がある。代表的には、チューブ状の金属開口が金属フェースに溶接される。これに代えて、図９に示すように、カーボンファイバーからなる開口を与えるため、マンドレルを使用して開口１５が作られる。カーボンファイバープリプレグ１６のポケットがクラブヘッドと一緒に成形される。このようなポケットはマンドレル１７をプリプレグで巻き、プリプレグが硬化した後、取り除く。マンドレルとプリプレグ層との間に熱伝導性金属スリーブを入れることができる。この熱伝導性金属スリーブはすでに装着されたシャフトを交換するときのような特別の場合に有用である。スリーブを加熱することができ、熱は結合を緩和する。代表的には、ゴルフシャフトはシャフトの先端をホーゼルに接着剤により結合することにより取り付けられる。シャフトを取り外すたまには、この部分を加熱し、接着剤による結合が緩和されてシャフトを引き抜くことができる。
【００４０】
ナイロン及びテフロン（登録商標）はデュポンカンパニーの商標である。
ヘクセルは米国、カルフォルニァ州、ダブリンにある。
トオレ  アメリカは米国、ワシントン州、タコマにある。
ピン  ゴルフは米国、アリゾナ州、フェニックスにある。
ナイキ  ゴルフは米国、米国、オレゴン州、ビーヴァートンにある。
キャラウェイ  ゴルフは米国、カリフォルニア州、カールスバッドにある。
テーラーメード  ゴルフは米国、カリフォルニア州、カールスバッドにある。
【００４１】
以上の本発明の特定の実施例の記載は図面及び記載による説明のために示されたものである。これらは全てのものでもなく、また開示された通りのものに限定するためのものでもなく、多くの変形や改良が上述の記載から明らかとなることが理解されるべきである。これらの実施例は本発明の原理を最良に説明するために選択されて記載され、これにより当業者が期待される特定の用途に適合するように本発明及び実施例を種々の変形や改良を加えて使用することを可能とするために示されるものである。本発明の範囲は添付されたクレームとその均等物により特定される。
【図面の簡単な説明】
【図１】本発明のゴルフクラブヘッドの正面図である。
【図２】図１のゴルフクラブヘッドの側面図である。
【図２Ａ】図２の斜視図である。
【図３】最大サイズのインサートを持つゴルフクラブヘッドの側面図である。
【図４】インサートのエッジとともにサンドイッチ構造（Ａ）を示すゴルフクラブヘッドの側面図である。
【図５】図４の区域Ａの部分拡大図である。
【図６】図５に示される金属エッジの変形例で開口及び／又は孔を示している。
【図７】図６のゴルフクラブヘッドの平面図である。
【図７Ａ】図６に示される構造を持つ本発明のゴルフクラブヘッドの斜視図を示す図である。
【図７Ｂ】図７の斜視図である。
【図８】ソールカバーを示すゴルフクラブヘッドの側面図である。
【図９】ゴルフシャフトを取り付けるための開口を示すゴルフクラブヘッドの側面図である。
【符号の説明】
１  金属打撃インサート
２  前面フェース壁
７、８  複合材料ボディのエッジ
９  インサートのエッジ
１１  孔
３０  複合材料ボディ
【図１】
0004280107.tif 000002
【図２】
0004280107.tif 000003
【図２Ａ】
0004280107.tif 000004
【図３】
0004280107.tif 000005
【図４】
0004280107.tif 000006
【図５】
0004280107.tif 000007
【図６】
0004280107.tif 000008
【図７】
0004280107.tif 000009
【図７Ａ】
0004280107.tif 000010
【図７Ｂ】
0004280107.tif 000011
【図８】
0004280107.tif 000012
【図９】
0004280107.tif 000013